(57)【要約】    【課題】  像担持体の表面に転写メモリが発生したり、被転写体の裏汚れが発生したりするのをこれまでよりも確実に防止することができる新規な画像形成装置を提供する。    【解決手段】  被転写体の後端縁Ｐ３が像担持体１と転写ローラ５との間を通過する際に、当該後端縁Ｐ３の前後一定幅の定電圧制御領域において、転写バイアス印加手段ＢＳによって転写ローラ５に印加する転写バイアスを、通常の転写時よりも絶対値が低い電圧値Ｖ２で定電圧制御する操作を少なくとも１段階、行った後、上記領域が終了した時点でオフするか、または逆バイアスを印加するように制御する転写バイアス制御部を制御手段Ｃに設けた画像形成装置である。【選択図】  図３
2005099645.tif 000002
【特許請求の範囲】
【請求項１】
像担持体と、被転写体を搬送しながら像担持体に接触させることで、当該像担持体上に形成したトナー像を被転写体に転写するための転写ローラと、この転写ローラに、トナー像転写のための転写バイアスを印加するための転写バイアス印加手段と、上記各部の動作を制御するための制御手段とを備えるとともに、制御手段は、被転写体の後端縁が像担持体と転写ローラとの間を通過する際に、当該後端縁の前後一定幅の領域において、転写バイアス印加手段によって転写ローラに印加する転写バイアスを、通常の転写時より絶対値が低い電圧値で定電圧制御する操作を少なくとも１段階、行った後、上記領域が終了した時点でオフするか、または逆バイアスを印加するように制御する転写バイアス制御部を含むことを特徴とする画像形成装置。
【請求項２】
転写バイアス制御部は、上記領域での転写バイアスを、転写ローラと像担持体との間での放電開始電圧より低い電圧値に設定して定電圧制御する請求項１記載の画像形成装置。
【請求項３】
転写バイアス制御部は、環境条件に応じて定電圧制御する電圧値を変化させる請求項２記載の画像形成装置。
【請求項４】
転写バイアス制御部は、通常の転写時に転写バイアスを定電流制御する請求項１記載の画像形成装置。
【発明の詳細な説明】
【技術分野】
【０００１】
この発明は、像担持体上に形成したトナー像を用紙等の被転写体上に転写する転写手段として転写ローラを用いた画像形成装置に関するものである。
【背景技術】
【０００２】
電子写真法を利用した静電式複写機、普通紙ファクシミリ装置、レーザープリンタ、およびこれらの複合機においては、まず像担持体の表面を、帯電手段によって所定の帯電電位に一様に帯電させ、次いで露光手段によって露光して静電潜像を形成後、この静電潜像を、現像手段によってトナー像に現像する。次にこのトナー像を、転写手段に印加した、像担持体表面の帯電極性と逆極性の転写バイアスによって、用紙等の被転写体上に転写したのち、定着手段によって被転写体上に定着させることで一連の画像形成の工程が完了する。
【０００３】
上記のうち転写手段としては転写チャージャ、転写ローラ等があるが、転写チャージャを用いる場合に比べて画像形成装置内でのオゾンの発生を抑えて、当該オゾンによる放電生成物の生成や感光体表面への酸化物被膜の形成を抑制できることから、転写ローラが好適に使用される。また転写ローラとしては、少なくともその表面が導電性を有し、所定の電位に接続されたものを用いるのが一般的である。
【０００４】
また転写ローラの抵抗値のばらつきや、当該転写ローラを繰り返し使用した際の抵抗値の上昇、被転写体の種類（材質や厚み）などに応じて、被転写体に与える電荷量が部分的もしくは全体的に変化して転写特性が変動するのを防止するため、転写ローラに印加する転写バイアスは定電流制御するのが一般的である（特許文献１参照）。
さらに、上記特許文献１に記載のように、転写ローラに転写バイアスを印加するのは、当該転写ローラと像担持体との間に被転写体が存在している間のみに限定され、被転写体の後端縁が両者の間を通過する直前に転写バイアスをオフにするか、あるいは転写バイアスと逆極性のバイアス（逆バイアス）を印加するように切り替えをしなければならない。
【０００５】
これは、転写バイアスを印加した状態の転写ローラが像担持体と直接に接触すると、当該像担持体の表面に転写メモリを生じるためである。すなわちトナー像転写後の像担持体は、その表面に残留したトナーをクリーニング手段によって除去した後、除電ランプを用いて光を照射するなどして除電して次の画像形成に備えるのであるが、像担持体の表面のうち、転写バイアスを印加した状態の転写ローラと直接に接触した範囲が逆極性に帯電してしまうと、かかる逆極性の電位は除電ランプからの光の照射によっては除電しきれない場合があり、その場合には次回の画像形成を行うべく帯電手段によって帯電させた際に、上記範囲の表面電位が局部的に、逆極性の帯電電位を差し引いた分だけ所定値よりも低くなる転写メモリを生じてしまう。そして、転写メモリを生じた範囲における形成画像の画像濃度が、特に中間調の画像において局部的に上昇したり、トナー像が形成された部分以外のカブリ濃度が上昇したりする画像不良が発生する。
【０００６】
これに対し、前記のように被転写体の後端縁が転写ローラと像担持体との間を通過する直前に、転写ローラに印加する転写バイアスをオフにするか、あるいは像担持体の帯電極性と同極性の逆バイアスを印加するように切り替えを行うと、上述した転写メモリを生じるのを防止することができる。
また、転写ローラと像担持体とが直接に接触した状態で上記のように逆バイアスを印加すると、当該転写ローラの表面に付着したトナーを像担持体に戻すことができる。このため、例えば画像形成を繰り返し行って、転写ローラの表面が、像担持体の表面から転移したカブリトナーなどによって汚れても、これを清浄化することができる。
【特許文献１】特開平８−１６０７７６号公報（請求項１、第００２６欄〜第００２７欄）
【発明の開示】
【発明が解決しようとする課題】
【０００７】
ところが、転写ローラと像担持体との間に被転写体を挟んだ状態で切り替えを行った際に、転写ローラの表面が上記のようにカブリトナーなどによって汚れていた場合には、切り替え時に発生する電界の急激な変化によって、転写ローラの表面に付着していたトナーが被転写体の裏面に転移する裏汚れの現象を生じる。裏汚れは、被転写体の両面に画像形成を行う際に特に問題となる。
【０００８】
また、被転写体の後端縁が斜めになった状態で上記の切り替えを行うと、切り替えた時点でまだ後端縁が通過していなかった範囲では被転写体の裏汚れを生じ、また切り替えた時点で既に後端縁が通過した後の範囲では、露出して転写ローラと直接に接触していた像担持体の表面に転写メモリを生じるという問題がある。
そこで発明者は、被転写体の裏汚れを防止するべく、電界の急激な変化を抑制するために、充放電回路などを利用して、転写バイアスを徐々に低下させることを検討したが、その場合に被転写体の後端縁の位置がばらついて、転写バイアスの電圧値があまり低下していない時点で転写ローラと像担持体とが直接に接触してしまった場合には、像担持体の表面に転写メモリが発生するという問題がある。
【０００９】
また発明者は、被転写体の後端縁の、前後一定幅の領域において、転写ローラに印加する転写バイアスの定電流値を段階的に小さくすることも検討した。しかし定電流制御では、例えば転写ローラの表面の部分的な抵抗値のばらつきにより、当該転写ローラの抵抗値の低い部分に電流が集中して、この部分と接触した像担持体の表面に大量の電流（電荷）が流れ込む。そしてこの電荷が像担持体の表面に保持されて、当該像担持体の表面に転写メモリが発生するという問題がある。
【００１０】
この発明の目的は、像担持体の表面に転写メモリが発生したり、被転写体の裏汚れが発生したりするのをこれまでよりも確実に防止することができる新規な画像形成装置を提供することにある。
【課題を解決するための手段】
【００１１】
請求項１記載の発明は、像担持体と、被転写体を搬送しながら像担持体に接触させることで、当該像担持体上に形成したトナー像を被転写体に転写するための転写ローラと、この転写ローラに、トナー像転写のための転写バイアスを印加するための転写バイアス印加手段と、上記各部の動作を制御するための制御手段とを備えるとともに、制御手段は、被転写体の後端縁が像担持体と転写ローラとの間を通過する際に、当該後端縁の前後一定幅の領域において、転写バイアス印加手段によって転写ローラに印加する転写バイアスを、通常の転写時より絶対値が低い電圧値で定電圧制御する操作を少なくとも１段階、行った後、上記領域が終了した時点でオフするか、または逆バイアスを印加するように制御する転写バイアス制御部を含むことを特徴とする画像形成装置である。
【００１２】
請求項２記載の発明は、転写バイアス制御部は、上記領域での転写バイアスを、転写ローラと像担持体との間での放電開始電圧より低い電圧値に設定して定電圧制御する請求項１記載の画像形成装置である。
請求項３記載の発明は、転写バイアス制御部は、環境条件に応じて定電圧制御する電圧値を変化させる請求項２記載の画像形成装置である。
【００１３】
請求項４記載の発明は、転写バイアス制御部は、通常の転写時に転写バイアスを定電流制御する請求項１記載の画像形成装置である。
【発明の効果】
【００１４】
請求項１の構成では、被転写体の後端縁の、前後一定幅の領域において、転写ローラに印加する転写バイアスを、通常の転写時より絶対値が低い電圧値で定電圧制御する操作を少なくとも１段階、実施している。
このため上記領域（以下「定電圧制御領域」とする）のうち、被転写体の後端縁より前方側では、転写ローラに印加する転写バイアスをオフにするか、あるいは像担持体の帯電極性と同極性の逆バイアスを印加するように切り替えを行う場合のような電界の急激な変化を抑制することができる。したがって、たとえ転写ローラの表面がカブリトナーなどによって汚れていても、被転写体の裏汚れを防止することができる。
【００１５】
また定電圧制御では、例えば転写ローラの表面に部分的な抵抗値のばらつきがあっても、定電流制御のように局部的に電圧値が高くなることがないため、前記定電圧制御領域のうち、被転写体の後端縁より後方側で、像担持体の表面に転写メモリが発生するのを防止することもできる。
したがって請求項１記載の発明によれば、像担持体の表面に転写メモリが発生したり、被転写体の裏汚れが発生したりするのをこれまでよりも確実に防止することが可能となる。
【００１６】
また請求項２の構成では、上記定電圧制御領域の転写バイアスを、当該領域のうち被転写体の後端縁より後方側において転写ローラと像担持体とが直接に接触した際に、両者間で放電が開始されるしきい値よりも低い電圧値に設定しているため、放電により像担持体の表面が逆極性に帯電することがない。したがって、像担持体の表面に転写メモリが発生するのをさらに確実に防止することができる。
【００１７】
また請求項３の構成では、環境条件によって変化する上記しきい値に応じて、定電圧制御領域での転写バイアスの電圧値を変化させている。具体的には、しきい値が下がって放電が発生しやすい高湿度の環境下ほど転写バイアスの電圧値を低くしている。このため放電によって像担持体の表面が逆極性に帯電するのを、より一層、確実に防止することができる。
【００１８】
さらに請求項４の構成では、通常の転写時における転写バイアスを定電流制御しているため、前記のように転写ローラの抵抗値のばらつきや、当該転写ローラを繰り返し使用した際の抵抗値の上昇、被転写体の種類などに応じて、被転写体に与える電荷量が部分的もしくは全体的に変化して転写特性が変動するのを防止して、常に良好な画像を形成することができる。
【発明を実施するための最良の形態】
【００１９】
図１は、この発明の画像形成装置の、実施の形態の一例における要部としての、電子写真感光体１の周辺を示す図である。
図に見るようにこの例の画像形成装置は、像担持体としての、ドラム状の電子写真感光体１の周囲に、図中に実線の矢印で示す回転方向に沿って順に、当該電子写真感光体１の表面を一様に帯電させるための帯電手段２と、帯電した電子写真感光体１の表面を露光して静電潜像を形成するための露光手段３と、形成した静電潜像をトナー像に現像するための現像手段４と、現像したトナー像を被転写体に転写するための転写ローラ５と、転写後の電子写真感光体１の表面に残留したトナーを除去するためのクリーニング手段６と、クリーニング後の電子写真感光体１の表面を露光して除電するための除電ランプ７とを配設したものである。
【００２０】
このうち帯電手段２としては、従来同様にコロトロン、スコロトロンなどの帯電器（チャージャ）を用いることができる。図の例はスコロトロン式の帯電器であって、電子写真感光体１の軸方向に沿って張り渡した放電ワイヤ２１と、その周囲のうち電子写真感光体１に臨む面を除く３方を囲むシールド２２と、シールド２２の開口に設けたグリッド２３とを備えている。
【００２１】
露光手段３としては、例えば画像形成装置がレーザープリンタ、デジタル式の静電式複写機、普通紙ファクシミリ装置などである場合、入力された電子データに基づいて電子写真感光体１の表面に静電潜像を形成できる、半導体レーザアレイなどを用いることができる。
現像手段４としては、電子写真感光体１の表面に形成した静電潜像をトナー像に現像するための、種々の現像方法に対応した、種々の方式の現像器を用いることができる。例えば図では、電子写真感光体１の表面に当接させて配置した、スポンジのような弾性体で構成した現像ローラ４１と、この現像ローラ４１に供給するトナーを収容するための筐体４２とを備えた現像手段４を用いている。ただし採用する現像器の方式によっては、上記現像ローラ４１に代えて、電子写真感光体１の表面と一定間隔をあけて配置した現像スリーブを用いてもよい。
【００２２】
転写ローラ５は、少なくともその表面が導電性を有するとともに、所定の電位に接続されている。これにより、前記のように転写チャージャを用いる場合に比べて、画像形成装置内でのオゾンの発生を抑えて、当該オゾンによる放電生成物の発生や感光体表面への酸化物被膜の形成を抑制することができる。
さらにクリーニング手段６としては、電子写真感光体１の表面に当接させて残留したトナーを掻き落とすためのクリーニングブレード６１と、掻き落としたトナーを収容するための筐体６２とを備えたものなどを用いることができる。
【００２３】
そして次工程において、図示しない定着手段を通過させて、トナー像を被転写体の表面に定着させると、一連の画像形成が終了する。
図２は、図１の画像形成装置の電気的な構成を示すブロック図である。
図に見るように画像形成装置は、装置を構成する各部を動作させる制御手段Ｃを備えている。
【００２４】
画像形成装置の操作部としてのコントロールパネルＣＰへの入力、および湿度センサＨＳの出力は、制御手段Ｃへ与えられる。制御手段Ｃ内には、各種動作のタイミングを規定するためのタイマＣ１と、各種動作の基準となる初期値などを登録したメモリＣ２とを設けてある。
制御手段Ｃは、コントロールパネルＣＰへの入力、湿度センサＨＳの出力、タイマＣ１によって規定したタイミング、並びにメモリＣ２に記録した初期値などに基づいて種々の演算を行い、それに基づいて制御信号をドライバＤへ与える。そしてドライバＤは、与えられる信号に基づいて電子写真感光体１を回転させながら、帯電手段２、露光手段３、現像手段４、転写ローラ５、クリーニング手段６、除電ランプ７、および転写ローラ５に転写バイアスを印加するための転写バイアス印加手段ＢＳの駆動制御を行う。
【００２５】
図３は、上記制御手段Ｃによって転写バイアス印加手段ＢＳを駆動制御して、転写ローラ５に印加する転写バイアスを変化させるタイミングを示すグラフである。
まず制御手段Ｃは、コントロールパネルＣＰからの入力などによって設定された被転写体のサイズや向きなどの情報に基づいて、被転写体の後端縁Ｐ３と、当該被転写体の後端側の、完全画像範囲と不完全画像範囲（余白部分）との境界線Ｐ１とを求める。そして両位置Ｐ１、Ｐ３を基準として、上記後端縁Ｐ３の前後一定幅の領域を、定電圧制御領域として設定する。
【００２６】
すなわち定電圧制御領域の開始位置Ｐ２は、完全画像形成範囲内の形成画像に影響を及ぼさないために、境界線Ｐ１より後方で、なおかつ被転写体に許容された規格内の斜め搬送時に、傾斜した境界線Ｐ１と交差しないできるだけ前方の位置に設定する。また定電圧制御領域の終了位置Ｐ４は、上記斜め搬送時に傾斜した被転写体の後端縁Ｐ３と交差しない位置に設定する。またこの例では、制御手段Ｃは、定電圧制御領域の終了位置Ｐ４より後方の、逆バイアス開始位置Ｐ５までの間に一定幅の、転写バイアスをオフ状態とする範囲を設定する。
【００２７】
次に制御手段Ｃは、定電圧制御領域において定電圧制御する電圧値Ｖ２を設定する。電圧値Ｖ２は、前述したように完全画像形成領域での通常の転写時に定電流制御される電圧値Ｖ１の範囲よりも低い値であればよいが、転写メモリの発生をより確実に防止することを考慮すると、被転写体の後端縁Ｐ３より後方側において転写ローラ５と電子写真感光体１とが直接に接触した際に、両者間で放電が開始されるしきい値よりも低い電圧値に設定するのが好ましい。
【００２８】
ただし、転写ローラ５と電子写真感光体１とが直接に接触した際に両者間で放電が開始されるしきい値以上であって、かかる放電によって電子写真感光体１の表面が逆極性に帯電したとしても、除電ランプ７などによって除電可能である場合には、転写メモリを生じるおそれはない。
また上記しきい値は環境条件、特に湿度によって変化するので、制御手段Ｃは、画像形成時に、湿度センサＨＳの出力に基づいて随時、電圧値Ｖ２がしきい値を超えないように微調整を行うようにするのが好ましい。
【００２９】
それとともに制御手段Ｃは、逆バイアス開始位置Ｐ５より後方の範囲で、転写ローラ５に印加する逆バイアスの電圧値Ｖ３をも設定する。電圧値Ｖ３は、前記のように転写ローラ５と電子写真感光体１とが直接に接触した状態で、転写ローラ５の表面に付着したトナーを電子写真感光体１の表面に戻すことができる最低の電圧値以上とする。
そして上記の設定を行った状態で制御手段Ｃは、前記の各位置Ｐ１〜Ｐ５が、転写ローラ５と電子写真感光体１との間の転写ニップの、被転写体の搬送方向の中心を通過するタイミングを、図示しないレジストローラが回転を開始してからの時間でもって求めながら、転写バイアスの制御を行う。
【００３０】
例えばレジストローラが回転を開始してから、定電圧制御領域の開始位置Ｐ２が転写ニップの中心に到達するまでの時間Ｔ２は、レジストローラのニップと転写ニップの中心間の距離Ａと、被転写体の先端から上記開始位置Ｐ２までの、当該被転写体の搬送方向の長さＢと、被転写体の搬送速度Ｒとから、式：
Ｔ２＝（Ａ＋Ｂ）／Ｒ
によって求めることができる。その他の位置も同様である。
【００３１】
そして、まず制御手段Ｃは、転写ローラ５に、定電流制御された転写バイアス（電圧値Ｖ１）を印加しながら、電子写真感光体１上に所定の手順で形成したトナー像を被転写体と重ねた状態で、転写ローラ５と電子写真感光体１との間を通過させる。これにより、前記のように被転写体の表面に、トナー像を良好に転写することができる。
次に制御手段Ｃは、前記のように転写ニップの中心に定電圧制御領域の開始位置Ｐ２が到達した時点で、転写ローラ５に印加する転写バイアスを切り替えて、電圧値がＶ２となるように定電圧制御された転写バイアスを印加し、そして上記転写ニップの中心に定電圧制御領域の終了位置Ｐ４が到達した時点で、転写ローラ５に印加する転写バイアスをオフにする。
【００３２】
これにより定電圧制御領域内の、被転写体の後端縁Ｐ３より前方側の範囲（開始位置Ｐ２から後端縁Ｐ３までの範囲）では、当該被転写体の裏汚れが防止される。また定電圧制御領域内の、後端縁Ｐ３より後方側の範囲（後端縁Ｐ３から終了位置Ｐ４までの範囲）と、それに続く、終了位置Ｐ４から逆バイアス開始位置Ｐ５までの間の範囲では、転写ローラ５と直接に接触した電子写真感光体１の表面に転写メモリが生じるのが防止される。
【００３３】
なお転写ニップの中心に定電圧制御領域の終了位置Ｐ４が到達した時点で、転写ローラ５に逆バイアスを印加してもよいが、その場合には急激な電圧変化によってリップルが生じることがあり、リップルが生じると転写メモリが発生するので、かかる転写メモリの発生をより確実に防止するためには、この時点で、上記のように転写バイアスをオフにするのが好ましい。
【００３４】
また図の例では、定電圧制御領域での定電圧制御を、電圧値がＶ２である１段のみ行っているが、電圧値が異なる２段以上の定電圧制御を、当該電圧値が順次０に近づくように段階的に実施することもできる。そのためには、例えばリミッタ電圧によって電圧値を制御すればよい。
さらに制御手段Ｃは、前記転写ニップの中心に逆バイアス開始位置Ｐ５が到達した時点で、転写ローラ５に、電圧値がＶ３に設定された逆バイアスを印加する。これにより、転写ローラ５の表面に付着したトナーを電子写真感光体１に戻して、転写ローラを清浄化することができる。逆バイアスは、定電圧制御でも定電流制御でもよい。
【００３５】
以上、一連の操作を行うことにより、電子写真感光体１の表面に転写メモリが発生したり、被転写体の裏汚れが発生したりするのをこれまでよりも確実に防止しながら、当該被転写体の表面にトナー像を良好に転写することが可能となる。
なおこの発明の構成は、以上で説明した図の例のものには限定されない。例えば図の例は、像担持体が電子写真感光体である画像形成装置を示していたが、像担持体は、例えばフルカラー画像形成装置などにおける中間体であってもよい。その他、この発明の要旨を変更しない範囲で、種々の設計変更を施すことができる。
【実施例】
【００３６】
以下にこの発明を、実施例、比較例に基づいてさらに詳細に説明する。
画像形成装置の試作
図１に示す構造を有する京セラミタ(株)製のレーザープリンタ（型番ＦＳ−１０２０Ｄ）に改造を施して、転写バイアスを、図３に示すように段階的に調整できるようにした画像形成装置を試作した。なお、画像形成装置の諸元は下記のとおりであった。
【００３７】
電子写真感光体１
種類：正帯電型単層有機感光体
直径：３０ｍｍ
感光層の厚み：３０μｍ
回転の線速：１２０ｍｍ／秒
帯電電位：＋４００Ｖ
転写ローラ５
構造：導電性発泡ＥＰＤＭ（エチレン−プロピレン−ジエン共重合ゴム）からなるローラ本体の中心に金属製のシャフトを貫通、一体化した。
【００３８】
ローラー径：１６ｍｍ
シャフト径：６ｍｍ
ローラ本体の体積固有抵抗値：１０８〜１０１０Ω・ｃｍ
そして転写ローラ５に印加する、図３において定電圧制御領域の開始位置Ｐ２以前の、トナー像転写時の転写バイアスを電流値−８μＡの定電流制御（電圧値Ｖ１＝−１．５〜−２．５ｋＶ）、開始位置Ｐ２から終了位置Ｐ４までの定電圧制御領域の転写バイアスを電圧値Ｖ２＝−０．５〜−１．０ｋＶの範囲の、一定電圧値の定電圧制御、逆バイアス開始位置Ｐ５以降の逆バイアスを電圧値Ｖ３＝＋５５０Ｖの定電圧制御に設定して、５００００枚の連続画像形成を行った後、最後の被転写体の表裏両面を観察した。
【００３９】
そうしたところ、被転写体の表面側の形成画像には転写メモリの発生に伴う画像濃度の上昇やカブリは見られず、また裏面側には裏汚れは見られなかった。
また比較のため、図３中の定電圧制御領域の開始位置Ｐ２から終了位置Ｐ４までの間、転写ローラに印加する転写バイアスをオフにして、定電圧制御領域を設けずに、同じ枚数の連続画像形成を行った後、最後の被転写体の表裏両面を観察した。
【００４０】
そうしたところ、被転写体の表面側の形成画像には転写メモリの発生に伴う画像濃度の部分的な上昇やカブリは見られなかったが、裏面側に裏汚れが見られた。
さらに図３中の、定電圧制御領域の終了位置Ｐ４まで、転写ローラに印加する転写バイアスを、トナー像転写時と同じ電流値−８μＡの定電流制御として、定電圧制御領域を設けずに、同じ枚数の連続画像形成を行った後、最後の被転写体の表裏両面を観察した。
【００４１】
そうしたところ、被転写体の裏面側には裏汚れは見られなかったが、表面側の形成画像に、転写メモリの発生に伴う画像濃度の部分的な上昇やカブリが見られた。
【図面の簡単な説明】
【００４２】
【図１】この発明の画像形成装置の、実施の形態の一例における要部としての、像担持体である電子写真感光体の周辺を示す図である。
【図２】図１の画像形成装置の電気的な構成を示すブロック図である。
【図３】制御手段によって、転写バイアス印加手段を駆動制御して、転写ローラに印加する転写バイアスを変化させるタイミングを示すグラフである。
【符号の説明】
【００４３】
１  電子写真感光体（像担持体）
５  転写ローラ
ＢＳ  転写バイアス印加手段
Ｃ  制御手段
【図１】
2005099645.tif 000003
【図２】
2005099645.tif 000004
【図３】
2005099645.tif 000005